(57)【特許請求の範囲】
【請求項１】
プラスチック板からなる後部配置用の分度器と、右側および左側配置用の分度器とを平面略逆Ｕ字状に立設して組み立てるいけ花用分度器において、
前記後部配置用の分度器は、その表面中央に垂直線を設け、この垂直線の下端部に中心点を示す目盛、垂直線の上端部に９０度を示す目盛、垂直線の両側直角方向の水平線上に０度を示す目盛、９０度から０度にかけての角度を示す目盛を各設けると共に、前記中心点の目盛と前記角度を示す各目盛とを結ぶ複数本の角度線を設けてなり、
一方、前記左右配置用の分度器は、その表面内側垂直線上の下端部に中心点を示す目盛、垂直線上の上端部に９０度を示す目盛、この目盛の外側直角方向の水平線上に０度を示す目盛、９０度から０度にかけての角度を示す目盛を各設けると共に、前記中心点の目盛と前記角度を示す各目盛とを結ぶ複数本の角度線を設けてなることを特徴とするいけ花用三面分度器。
【請求項２】
前記後部配置用の分度器および左右配置用の分度器の中心点の目盛の同心円上に所定の間隔を置いて複数本の円線を設けたことを特徴とする前記請求項１記載のいけ花用三面分度器。
【発明の詳細な説明】
【０００１】
【発明の属する技術分野】
本発明は、いけ花用三面分度器に関する。
【０００２】
【従来の技術】
従来、いけ花は定型的三角型の構成を取ることを特色としている。例えば、中心的主幹の役枝に対し、これを助ける枝と、別に根本に近く、三者の均衡を保つ役枝が配設されて三角形をとる。
【０００３】
さらに、具体的にいうと、いけ花は、まず心（真）ができ、それを中心に右・左・前・後という構成をもった花の様式を基本として、各人の思想（考え）を花を媒体に表現（具現化）するものといえる。
【０００４】
【発明が解決しようとする課題】
ところで、近年、いけ花の専門家がコンピュータやテレビ画像を通していけ花の素人である視聴者にいけ花を指導することが行われつつある。
【０００５】
しかしながら、その際、いけ花の専門家が実際に花を剣山等に挿しつつ口頭で説明しても、視聴者は画像を通してしか内容を把握できないため、既述したようないけ花の基本様式はもとより応用様式などを理解することは難しいものであった。
【０００６】
本発明は、前記した従来の技術が有する問題点を解消するもので、いけ花に対する理解を容易とするために、剣山等に挿した各花の前後、左右の角度を視聴者が画像を通して確認できるようにしたいけ花用三面分度器を提供することを目的とする。
【０００７】
【課題を解決するための手段】
上記目的を達成するために、本発明に係るいけ花用三面分度器は、
請求項１では、プラスチック板からなる後部配置用の分度器と、右側および左側配置用の分度器とを平面略逆Ｕ字状に立設して組み立てるいけ花用分度器において、
前記後部配置用の分度器は、その表面中央に垂直線を設け、この垂直線の下端部に中心点を示す目盛、垂直線の上端部に９０度を示す目盛、垂直線の両側直角方向の水平線上に０度を示す目盛、９０度から０度にかけての角度を示す目盛を各設けると共に、前記中心点の目盛と前記角度を示す各目盛とを結ぶ複数本の角度線を設けてなり、
一方、前記左右配置用の分度器は、その表面内側垂直線上の下端部に中心点を示す目盛、垂直線上の上端部に９０度を示す目盛、この目盛の外側直角方向の水平線上に０度を示す目盛、９０度から０度にかけての角度を示す目盛を各設けると共に、前記中心点の目盛と前記角度を示す各目盛とを結ぶ複数本の角度線を設けてなることを特徴とする。
【０００８】
請求項２では、前記後部配置用の分度器および左右配置用の分度器の中心点の目盛の同心円上に所定の間隔を置いて複数本の円線を設けたことを特徴とする。
【０００９】
以下、本発明の実施の一例を図面に基づいて詳細に説明する。
図１は、本発明の後部配置用の分度器を示す正面図であり、図２（Ａ）、（Ｂ）は、本発明の左右配置用の分度器を示す各正面図であり、図３は、本発明の他例の後部配置用の分度器を示す正面図であり、図４（Ａ）、（Ｂ）は、本発明の他例の左右配置用の分度器を示す各正面図であり、図５は、本発明の使用状態を示す平面図であり、図６は、本発明の使用状態を示す正面図である。
【００１０】
本発明のいけ花用三面分度器（Ａ）は、プラスチック製の横長矩形板からなる後部配置用の分度器１と、同製の方形もしくは横長矩形板からなる右側および左側配置用の二枚の分度器２１、２１にて構成されている。
なお、本発明の三面分度器（Ａ）の素材としては、主にパソコンやテレビ画像用として使用されるため、艶消しの白色プラスチック板が好適である。
【００１１】
そして、前記後部配置用の分度器１は、次のように構成される。
横長矩形板の表面中央に垂直線２を設け、この垂直線２の下端部に中心点を示す目盛３、垂直線２の上端部に９０度を示す目盛４、垂直線２の両側直角方向の水平線５上に０度を示す目盛６、９０度から０度にかけての角度を示す目盛７を各設けると共に、前記中心点の目盛３と前記角度を示す目盛７とを結ぶ複数本（図示例では合計３４本）の角度線８を設けてなる。
【００１２】
一方、前記左右配置用の分度器２１は、次のように構成される。
方形板の内側垂直線２２上の下端部に中心点を示す目盛２３、垂直線２２上の内側上端部に９０度を示す目盛２４、目盛２４の外側直角方向の水平線２５上に０度を示す目盛２６、９０度から０度にかけての角度を示す目盛２７を各設けると共に、前記中心点の目盛２２と前記角度を示す各目盛２７とを結ぶ複数本（図示例では各１７本）の角度線２８を設けてなる。
【００１３】
さらに、前記三枚の分度器１、２１、２１の表面には、使用時に各分度器を見易くするために、目盛３、２２を中心として円心円状に所定の間隔を置いて複数本（図示例では各２５本）の円線９、２９および各円線９、２９と前記角度線８、２８との交叉部に目盛１０、３０を設けるものである。
【００１４】
使用に際しては、図５および図６に示したように、分度器１をその表面を正面に向けて垂直に立て、その両端に直角に二枚の分度器２１、２１をその表面を互いに向き合うようにして垂直に立てる。なお、このとき、図６に示したように平らな台ａを使用する。また、各分度器を安定させるために、分度器１と分度器２１、２１とを、上面に溝を設けた金属製の支持台あるいは保持金具（図示しない）等にて支持するのが好ましい。さらに、分度器２１、２１は、後述する花びん４０や剣山４１等の大きさに合わせて前後位置を調整できるようにすると良い。
【００１５】
次いで、分度器１中央の垂直線２の手前に所定の間隔を置いて、花びん４０を定置すると共に、花びん４０内部に剣山４１を置き、この剣山４１の針部にいけ花用の種々な花４２を順次挿すものであるが、このとき、各花４２の左右の角度は後部の分度器１の目盛４、７、角度線８、円線９等を目安とする一方、前後の角度は左右の分度器２１、２１の目盛２４、２７、角度線２８、円線２９等を目安とするものである。
【００１６】
また、図３および図４に示したように、分度器１、２１の上端および左右両端に等幅の延長部１１、３１を形成し、この延長部１１、３１の各目盛４、６、７、２４、２５、２６の対応部位に角度表示１２、３２を各設けることで一層見易くすることができ、この構成も本願発明に包含されることはいうまでもない。
【００１７】
ところで、後部配置用の分度器１のサイズは、横幅が８０ｃｍ、縦幅が４０ｃｍ、左右配置用の分度器２１のサイズでは、横幅、縦幅ともに４０ｃｍに、さらに、延長部１１、３１のサイズでは４ｃｍに各設定される。しかし、これはあくまでも一例であって制限的なものでないことはもちろんである。
【００１８】
【発明の効果】
本発明は、以上詳述したように構成されるものであるから、次に述べる効果を有する。
【００１９】
請求項１によれば、表部に垂直線、水平線、角度を示す目盛、角度線等を各設けた後部配置用の分度器と左右配置用の分度器とを平面略Ｕ字状に立設して組み立て、後部配置用の分度器の中央前方に剣山を置き、該剣山の針部へ順次花を挿すものであるから、コンピュータやテレビ画像を通して専門家がいけ花を指導するときに使用すれば、いけ花の左右および前後の角度が一見して確認できるため、いけ花の基本様式はもとより、応用様式の理解が容易となる。
【００２０】
さらに、請求項２によれば、いけ花の角度の確認、理解がいっそう容易となる。
なお、本発明は、コンピュータやテレビ画像を通したいけ花の指導に使用するのみならず、いけ花の対面指導等の際にも使用できることはもちろんである。
【図面の簡単な説明】
【図１】本発明の後部配置用の分度器を示す正面図である。
【図２】（Ａ）、（Ｂ）本発明の左右配置用の分度器を示す各正面図である。
【図３】本発明の他例の後部配置用の分度器を示す正面図である。
【図４】（Ａ）、（Ｂ）本発明の他例の左右配置用の分度器を示す各正面図である。
【図５】本発明の使用状態を示す平面図である。
【図６】本発明の使用状態を示す正面図である。
【符号の説明】
Ａ    いけ花用三面分度器
１    後部配置用の分度器
２    垂直線
３    目盛
４    目盛
５    水平線
６    目盛
７    目盛
８    角度線
９    円線
２１  左右配置用の分度器
２２  垂直線
２３  目盛
２４  目盛
２５  水平線
２６  目盛
２７  目盛
２８  角度線
２９  円線
【図１】
0003609060.tif 000002
【図２】
0003609060.tif 000003
【図３】
0003609060.tif 000004
【図４】
0003609060.tif 000005
【図５】
0003609060.tif 000006
【図６】
0003609060.tif 000007